(57)【特許請求の範囲】
【請求項１】
粘着材付きフィルムと、引き裂き方向により剪断強度の異なる特性を持つセパレータから構成され該セパレータにも粘着層を設け、
前記セパレータを引き裂き剥がすきっかけになる切れ目をセパレータに配し、
セパレータの粘着層を保護する剥離紙を設け、
前記セパレータは、前記粘着材付きフィルムよりも面積が大きく、
前記粘着材付きフィルムの全面が前記セパレータに貼り合わされており、
前記切れ目は、前記粘着材付きフィルムが貼り合されている領域の外側の領域のみに設けられる、セパレータ付き粘着材付保護フィルム。
【請求項２】
請求項１に於いてセパレータの形状が保護対象の画面貼り付け位置の案内となる形状に形成されたことを特徴とするセパレータ付き粘着材付保護フィルム。
【請求項３】
請求項１に於いてセパレータの一部がセパレータを剥がす際のガイドとなる形状に形成されたことを特徴とするセパレータ付き粘着材付保護フィルム。
【発明の詳細な説明】
【技術分野】
【０００１】
本発明は、液晶画面等を保護する粘着材付保護フィルムとセパレータに関するものである。
【背景技術】
【０００２】
従来の技術思想では、液晶画面等を保護する目的で使用者が粘着材付き保護フィルムを貼り付ける場合、液晶画面の大きさに合わせて正確に貼り付ける作業が必要であったが貼り付け位置の設定が困難であった。
【発明の概要】
【発明が解決しようとする課題】
【０００３】
本発明は、液晶画面等に粘着材付保護フィルムを貼り付ける際の、貼り付け位置の設定と貼り付け作業を容易にすることを課題とする。
【課題を解決するための手段】
【０００４】
本発明は、粘着材付保護フィルムの粘着層面を保護するセパレータに一軸延伸フィルムを用い、セパレータ自体にも粘着層を設けることでセパレータを一部引き裂いて剥がし粘着層の部分的な露出を可能とし、液晶画面等への貼り付け位置の設定と貼り付け作業を容易にするという課題を解決する。
【発明の効果】
【０００５】
本発明の粘着材付保護フィルムとセパレータはセパレータに一軸延伸フィルムを用い該セパレータにも粘着材の層が設けられている。従ってセパレータの粘着材には剥離シートが貼られ、３層のフィルム構造になっている。使用者は最下層の剥離シートを剥がし、粘着材付きセパレータを液晶画面等に微調整しながら正確な位置に貼り付ける。こうして貼り終えた粘着材付きセパレータは一軸延伸フィルムを用いてあるので、ここで粘着材付きセパレータを引き裂いて保護フィルムから一部剥がす。
【０００６】
このとき埃は該セパレータの粘着材面に付着して除去される。次に引き裂かれて残った粘着材付きセパレータを保護フィルムから剥がす。引き裂いて一部を残しながらの作業により保護フィルムと液晶画面の位置関係は保たれる。このように粘着材付保護フィルムと剥離シートの間に一軸延伸フィルムを用いた粘着材付きセパレータを加えることで、粘着材付保護フィルム貼り付け時の埃付着を防止し、また容易に正確な位置決めを行うことが可能になる。
【図面の簡単な説明】
【０００７】
【図１】粘着セパレータ付き保護フィルムの断面図である。
【図２】粘着セパレータ付き保護フィルムの平面図である。
【図３】セパレータの糊面を画面に貼り付けた状態の断面図である。
【図４】セパレータを引き裂き剥がす状態の断面図である。
【図５】セパレータが引き裂かれ一部残った状態の断面図である。
【図６】残りのセパレータを剥がしている状態の断面図である。
【図７】保護フィルムが画面に貼着された状態の断面図である。
【図８】保護フィルムを貼着する方法の俯瞰図である。
【発明を実施するための形態】
【０００８】
液晶画面に合わせた保護フィルムの粘着材面の粘着材を保護する為に貼るセパレータの材質を一軸延伸フィルムとし、セパレータ自体も該保護フィルムの粘着材面の保護貼り付け面の反対面を粘着材の層とする。粘着材付きセパレータの反対面粘着材の層に剥離シートを貼り汚れから保護する。
【実施例】
【０００９】
以下、添付図面に基づいて実施例を説明する。図１は本発明の一軸延伸フィルムを用いた粘着材付きセパレータ付き保護フィルムの断面図である。１は保護フィルム、１ａは粘着材の層、２は一軸延伸フィルムを用いたセパレータ、２ａは該セパレータの粘着材の層を示す。３はセパレータの粘着材面に貼る剥離シートを示す。図２は保護フィルムと粘着材付きセパレータと剥離シートの構成を示す平面図である。２ｂは一軸延伸フィルムを切り裂くきっかけとなる切り裂きガイドを示す。
【００１０】
図３は保護フィルムを液晶画面に貼るために剥離シート３を剥がし、粘着材付き一軸延伸フィルムを用いたセパレータ２の粘着材面を液晶画面に貼着した状態を示す断面図である。この状態で保護フィルムと保護される液晶画面の位置関係を微調整する。埃が液晶画面上に多少残っていても問題にならない。
【００１１】
図４は保護フィルム１から粘着材付き一軸延伸フィルムを用いたセパレータ２を切り裂きガイド２ｂから切り裂き剥がしている状態の断面図である。保護フィルム１は粘着材付きセパレータが切り裂かれ残された部分２が液晶画面に粘着しているため該液晶画面との位置関係は保たれている。該セパレータが切り裂かれ保護フィルム１と液晶画面９から剥がされる際、液晶画面５の表面の埃は粘着層２ａに粘着され移動する。
【００１２】
図５は保護フィルム１の半面が液晶画面上５に貼着された状態を示す。この状態で粘着材付きセパレータ２の切り裂かれ残された部分は該液晶画面５上にまだ残っている。図６は残された該セパレータ２を剥がしている状態を示す。図７は粘着材付き一軸延伸フィルムを用いたセパレータ２が完全に剥がされ、保護フィルム１が液晶画面５上に貼着された仕上がり状態の断面である。
【００１３】
図８は保護フィルム１から該セパレータ２を剥がし該液晶画面５に貼り付けている状態の俯瞰図である。
【００１４】
（付記）
（付記１）
粘着材付きフィルムと、一軸延伸フィルム等の引き裂き方向により剪断強度の異なる特性を持つセパレータから構成され該セパレータにも粘着層を設けた事を特徴とするセパレータ付き粘着材付保護フィルム
（付記２）
付記１に於いてセパレータの粘着層を保護する剥離紙を設けた事を特徴とする剥離紙とセパレータと粘着材付保護フィルムの３層から構成されるセパレータ付き粘着材付保護フィルム
（付記３）
付記１に於いてセパレータを引き裂き剥がすきっかけになる切れ目をセパレータに配した事を特徴とするセパレータ付き粘着材付保護フィルム
（付記４）
付記１に於いてセパレータの形状が保護対象の画面貼り付け位置の案内となる形状に形成されたことを特徴とするセパレータ付き粘着材付保護フィルム
（付記５）
付記１に於いてセパレータの一部がセパレータを剥がす際のガイドとなる形状に形成されたことを特徴とするセパレータ付き粘着材付保護フィルム
【符号の説明】
【００１５】
１  保護フィルム
２  粘着材付き一軸延伸フィルムを用いたセパレータ
２ａ  粘着材の層
３  セパレータの粘着材面に貼る剥離シート
４  機器
５  液晶画面
【図１】
0006035411.tif 000002
【図２】
0006035411.tif 000003
【図３】
0006035411.tif 000004
【図４】
0006035411.tif 000005
【図５】
0006035411.tif 000006
【図６】
0006035411.tif 000007
【図７】
0006035411.tif 000008
【図８】
0006035411.tif 000009